(57)【要約】本発明は、合成ゴムポリマー及び油からなる成形された混合物、及びその表面上の永久粘着性除去剤からなるコーティングを含む釣り用ルアーを提供する。前記粘着性除去剤はシリカ・ゲル、天然シリカ、ヒュームドシリカ、鉱物、ゼオライト（天然又は合成）、有機材料、装飾性化合物、顔料及びこれらの組合せから構成される群から選ばれることが好ましい。【特許請求の範囲】
【請求項１】
合成ゴムポリマー及び油からなる成形された混合物、及びその表面上の永久粘着性除去剤からなるコーティングを含む釣り用ルアー。
【請求項２】
前記粘着性除去剤がシリカ・ゲル、天然シリカ、ヒュームドシリカ、鉱物、ゼオライト（天然又は合成）、有機材料、装飾性化合物、顔料及びこれらの組合せから構成される群から選ばれる請求項１に記載の釣り用ルアー。
【請求項３】
前記鉱物がタルク、カオリン、チョーク、石灰石、マイカ、被覆マイカ及びこれらの組合せから構成される群から選ばれる請求項２に記載の釣り用ルアー。
【請求項４】
前記有機材料が球形シリコン樹脂、メチルメタクリレート樹脂及びこれらの組合せから構成される群から選ばれる請求項２に記載の釣り用ルアー。
【請求項５】
前記粘着性除去剤がさらに２ｎｍ〜１０μｍの範囲の平均粒径、表面積１０００ｍ2／ｇ以下の粒子を含む請求項１に記載の釣り用ルアー。
【請求項６】
前記合成ゴムがさらに熱可塑性エラストマーを含む請求項１に記載の釣り用ルアー。
【請求項７】
前記熱可塑性エラストマーはさらにスチレンブロック共重合体を含む請求項６に記載の釣り用ルアー。
【請求項８】
前記熱可塑性エラストマーはさらに２以上のスチレンブロック共重合体を含む請求項７に記載の釣り用ルアー。
【請求項９】
前記混合物中の油は合成ゴムより重量比が大きい請求項１に記載の釣り用ルアー。
【請求項１０】
前記コーティングはさらにコーティング油を含む請求項１に記載の釣り用ルアー。
【請求項１１】
前記油はシリコンを含む請求項１０に記載の釣り用ルアー。
【請求項１２】
前記シリコンは粘度５０〜１０００センチポイズの超弾性を有する
請求項１１に記載の釣り用ルアー。
【請求項１３】
前記成形された混合物とコーティング油の重量比は約８０００：２５±２０である請求項１０に記載の釣り用ルアー。
【請求項１４】
前記重量比は８０００：１０である請求項１０に記載の釣り用ルアー。
【請求項１５】
装飾性被覆物をさらに含む請求項１に記載の釣り用ルアー。
【請求項１６】
さらに魚誘引物及び香味料を含む請求項１に記載の釣り用ルアー。
【請求項１７】
合成ラバーポリマー及び油からなる成形された混合物であって、前記合成ラバーポリマーは１又は２以上の合成ブロック共重合体であり、前記油は前記合成ラバーポリマーより重量が重い混合物、
その表面上の永久粘着性除去剤からなるコーティングであって、前記粘着性除去剤は２ｎｍ〜１０μｍの範囲の粒径を有する粒子であるコーティング
を含む釣り用ルアー。
【請求項１８】
前記粘着性除去剤がシリカ・ゲル、天然シリカ、ヒュームドシリカ、鉱物、ゼオライト（天然又は合成）、有機材料、装飾性化合物、ピグメント及びこれらの組合せから構成される群から選ばれる請求項１７に記載の釣り用ルアー。
【請求項１９】
合成ゴムポリマー及び油からなる成形された混合物であって、前記合成ゴムポリマーが１又は２以上のスチレンブロック共重合体であり、前記油は前記合成ラバーポリマーより重い混合物、
その表面上の永久粘着性除去剤からなるコーティングであって、前記コーティングはさらに表面積１０００ｍ2／ｇの粒子及びコーティング油を含み、ここで、成形された混合物とコーティング油の重量比は約８０００：２５±２０であるコーティング
を含む釣り用ルアー。
【請求項２０】
前記粘着性除去剤はシリカ・ゲル、天然シリカ、ヒュームドシリカ、鉱物、ミネラル、ゼオライト（天然又は合成）、有機材料、装飾性化合物、ピグメント及びこれらの組合せから構成される群から選ばれる請求項１９に記載の釣り用ルアー。
【発明の詳細な説明】
【技術分野】
【０００１】
本発明は、非粘着表面を有する合成ゴムからなる釣り用ルアーに関する。
【背景技術】
【０００２】
多くの市販用の釣りルアー及びえさはプラスチック製である。プラスチゾルは、可塑剤中のポリビニルクロライド（ＰＶＣ）の分散液またはエマルジョンである。多くの種類のプラスチックからなるルアー及びえさが広く使用されてきた。これらは色々な形に鋳造でき、着色しやすく、比較的安価である。さらに、これらは生きているように見える。しかしながら、プラスチゾル釣り用えさはあまり柔軟でなく、引き裂きやすく、比較的硬く、環境に安全でないと認識されており、生きているように見えても生きているようには感じられないという欠点を有する。
【０００３】
近年、これら釣り用ルアーはプラスチゾルに対して合成ゴムで作られることが提案されてきた。Ｐｒｉｃｅ，Ｓ．，”Ｎｅｗ  ｓｏｆｔ  ｐｌａｓｔｉｃ  ｈａｖｅ  ｆｉｓｈｉｎｇ  ｗｏｒｌｄ  ｅｘｃｉｔｅｄ，”  ＢＡＳＳＭＡＳＴＥＲ，Ｊｕｌｙ  ２００２．Ｓｔｏｕｔ，Ｌ．，”Ｒｅｖｏｌｕｔｉｏｎａｒｙ  Ｐｌａｓｔｉｃｓ，Ｎｅｗ  ｔｅｃｈｎｏｌｏｇｙ  ｍａｙ  ｒａｄｉｃａｌｌｙ  ａｌｔｅｒ  ｓｏｆｔ  ｐｌａｓｔｉｃ  ｌｕｒｅ  ｍａｒｋｅｔ，”Ｂ．Ａ．Ｓ．Ｓ．Ｔｉｍｅｓ，ａｎｄ  Ｕ．Ｓ．Ｐａｔｅｎｔ  Ｎｏｓ．５，８８４，６３９，６，１１７，１７６及び６，１４８，８３０参照。特に、これら合成ゴムは熱可塑性エラストマー（ＴＰＥ）及びより特定的には、スチレン共重合ポリマーである。これら新しいルアーはプラスチックのルアーに対して十分な改良点を有している。新しいルアーは着色することができ、成形が容易で、より柔らかく、弾性を有する。新しいルアーは生きているように見えるだけでなく生きているように感じられる。
【０００４】
しかしながら、これら合成ゴムは非常に粘着性がある。これらは材料に接触すると、これら材料に固着してしまう。獲物袋が開けられルアーが取り除かれると、ルアーは袋の中で他のルアーにくっついてしまう。これは釣り人にとって好ましくない。複数のルアーが釣り道具箱に保管されると、それらは互いにくっついてしまうばかりでなく箱にもくっついてしまう。これも釣り人にとっては好感されない。さらに、さかなを獲るある種のタイプの釣りでは、海岸線や低い木の茂みに近づくことが好ましい。しかしながら、これら粘着性のゴムで作成された釣り用ルアーは周囲の低木又は天然もしくは人口の障害物に固着する傾向にある。プラスチゾルを有すると、即座の引っ張りによってしばしばルアーを破断する。他方で、新しい合成ゴムルアーは、伸びることができ、プラスチゾルのルアーのように破断しない。
したがって、これら合成ゴムから作成されるルアーの表面粘着性を少なくすることが必要とされている。
【０００５】
米国特許５，８８４，６３９、６，１１７，１７６及び６，１４８，８３０においては、表面粘着性はステアリン酸化合物を合成ゴムに混合することによって減少することが開示されている。ステアリン酸化合物は、ステアリン酸（オクタデカン酸）；金属ステアリン酸塩；ポリエチレングリコールジステアレート、ポリプロピレングリコールエステル又は脂肪酸、及びポリテトラメチレンオキサイドグリコールジステアレート；ワックス；ステアリン酸及びワックス；及び金属ステアレート及びワックスを含む。ある出願においては、表面の粘着性の除去方法は適切であるが、ステアリン酸化合物はルアーを着色する染料に悪影響を及ぼす。代替法として、表面はシリコンオイルでコートすることによって粘着性が除去される。しかしながら、ルアーは水中で繰り返し使用されるので、オイルはルアーの表面から洗い流され、粘着性が再現する。したがって、シリコンオイルによるコーティングは表面粘着の問題の完全な解決策とならない。
【特許文献１】米国特許５，８８４，６３９号明細書
【特許文献２】米国特許６，１１７，１７６号明細書
【特許文献３】米国特許６，１４８，８３０号明細書
【発明の開示】
【発明が解決しようとする課題】
【０００６】
したがって、合成ゴムからなる永久に粘着性が除去された釣り用ルアーが必要とされる。
【課題を解決するための手段】
【０００７】
釣り用ルアーは合成ゴムポリマーとオイルの混合成形体である。永久粘着除去コーティングがルアーの表面を覆う。
【０００８】
ルアーとえさは色々な形で現れる。ルアーとえさは今後相互に交換して使用される。例えば、形状はエソ又は虫の形であり得る。他の形は、サンンショウオ、ファンテイル、カーリリテイル虫、雑魚、ダブルテイル、リップルテイル虫及びその類似を含む。例えば、引用刊行物として米国特許４，９９３，１８３を参照。
【０００９】
整形された目的物は合成ラバーポリマーとオイルの混合物である。合成ラバーポリマーは好ましくは熱可塑性エラストマー（ＴＰＥ）である。熱可塑性エラストマーは好ましくはスチレンブロック共重合体である。スチレン共重合ポリマーは典型的にはスチレン末端ブロックとエチレン、ポリピレン、ブチレン、イソプレン及びこれらの組合せから選択される。合成ゴムポリマーは前記ポリマーの１又は２以上の混合物からなる。例えば、米国特許４，５８９，２２３、５，６１８，８８２、５，８８４，６３９、６，１１７，１７６、６，１４８，８３０、６，４５５，６２３及び米国特許出願公開２００２／０１８８０５７及び前記出願公開と同日出願のＪｏｈｎ  Ｙ．Ｃｈｅｎの名前で、前記公開の段落０００１に述べられおり、発明の名称が”Ｔｅａｒ  Ｒｅｓｉｓｔａｎｔ  Ｇｅｌａｔｉｎｏｕｓ  Ｅｌａｓｔｏｍｅｒ  Ｃｏｍｐｏｓｉｔｉｏｎｓ  ａｎｄ  Ａｒｔｉｃｌｅｓ  Ｆｏｒ  Ｕｓｅ  ａｓ  Ｆｉｓｈｉｎｇ  Ｂａｉｔ  （Ｄｏｃｋｅｔ  ４６）”，”Ｇｅｒａｔｉｎｏｕｓ  Ｆｏｏｄ−Ｅｌａｓｔｏｍｅｒ  Ｃｏｍｐｏｓｉｔｉｏｎｓ  ａｎｄ  Ａｒｔｉｃｌｅｓ  ｆｏｒＵｓｅ  ａｓ  Ｆｉｓｈｉｎｇ  Ｂａｉｔ  （Ｄｏｃｋｅｔ  ４７）”及び”Ｇｅｌａｔｉｎｏｕｓ  Ｆｏｏｄ−Ｅｌａｓｔｏｍｅｒ  Ｃｏｍｐｏｓｉｔｉｏｎｓ  ａｎｄ  Ａｒｔｉｃｌｅｓ  （Ｄｏｃｋｅｔ  ４８）であり、本明細書に引用して組み込まれる３つの出願を参照。
【発明を実施するための最良の形態】
【００１０】
成形されたルアーは粘着性除去剤によってコートされる。粘着性除去剤は、好ましくは、約２ｎｍ〜１０μｍの範囲の平均粒径、表面積１０００ｍ2／ｇ以下の粒子を有する。最も好ましい粒子は０．２〜０．３μｍの平均粒径で、表面積３６０ｍ2／ｇを有する。粘着性除去剤は、シリカ・ゲル、天然シリカ、ヒュームドシリカ、鉱物、ゼオライト（天然又は合成）、有機材料、装飾性化合物、顔料及びこれらの組み合わせから構成される群から選択される。鉱物は、タルク、カオリン、チョーク、石灰石、マイカ、被覆マイカ及びこれらの組み合わせから構成される群から選ばれる。有機材料は球面シリコン（例えば、Ｇ．Ｅ．シリコンから入手可能なＴｏｓｐｅａｒｌ）、メチルメタクリレート樹脂（例えば、日本触媒から入手可能なＥｐｏｓｔａｒ）及びこれらの組み合せから構成される群から選択される。装飾性化合物は、グリター、真珠様物質、フロッキング、ビーズ、反射性皮膜及びこれらの組み合わせから構成される群から選ばれる。好ましい粘着性除去剤はヒュームドシリカである。前記ヒュームドシリカは、Ｃａｂｏｔ  Ｃｏｒｐｏｒａｔｉｏｎ，Ｔｕｓｃｏｌａ，ＩＬから登録商標ＣＡＢ−Ｏ−ＳＩＬとして、及びＪ．Ｍ．Ｈｕｂｅｒ  Ｃｏｒｐｏｒａｔｉｏｎ，Ｈａｒｖｅ  ｄｅ  Ｇｒａｃｅ，  ＭＤ．Ｐｅｒｍａｎｅｎｔから登録商標ＺＥＯＴＨＩＸとして市販されて市販されており、本明細書で述べたように、繰り返しの使用、取り扱いにもかかわらず、又は使用に伴う洗浄にもかかわらずその機能を維持することができる粘着性除去コート剤としての性能に言及している。
【００１１】
粘着性除去剤はさらにコーティング油を含む。コーティング油は好ましくはシリコンである。シリコンは好ましくは粘度約５０〜１０００センチポイズの超弾性を有する。コート被覆とコーティング油の重量比は約８０００：２５±２０である。好ましい重量比は８０００：１０である。
【００１２】
釣り用ルアーはさらに装飾性被覆物を含むことができる。装飾性被覆物はグリッター、真珠様物質、フロッキング、ビーズ、反射性被覆物及びこれらに組み合わせからなる群から選ばれる。これらの装飾性被覆物は装飾性の機能と粘着性除去の機能を同時に果たすことができる。
【００１３】
釣り用ルアーはさらに人口香味料又は魚誘引物含むことができる。例えば、それぞれ本明細書に組み込まれる米国特許４，５３０，１７９、４，７２６，１３８、４，８８７，３７６、４，９９８，３７０及び５，７２０，９９６を参照。人口香味料及び魚誘引物は合成ポリマーに組み込むことができ、又はルアーの表面に被覆することができ、又は前述のコーティングのいずれかに含ませることができる。
【００１４】
製造過程において、成形された混合物が形成される。次いで、それは永久粘着性除去剤によって被覆される。成形された混合物は白亜の概観を有する。その後、シリコンが適用される。すると、白亜模様は消える。
【００１５】
本発明は本発明の精神と本質から逸脱しない限り他の形態で実施され得る。したがって、本発明の範囲については、明細書の記載ではなく特許請求の範囲に基づくべきである。
【手続補正書】
【提出日】平成16年12月2日(2004.12.2)
【手続補正１】
【補正対象書類名】特許請求の範囲
【補正対象項目名】全文
【補正方法】変更
【補正の内容】
【特許請求の範囲】
【請求項１】
合成ゴムポリマー及び油からなる成形された混合物、及びその表面上の永久粘着性除去剤からなり、前記粘着性除去剤は２ｎｍ〜１０μｍの範囲の平均粒径の粒子を含むことを特徴とする釣り用ルアー。
【請求項２】
前記粘着性除去剤がシリカ・ゲル、天然シリカ、ヒュームドシリカ、鉱物、ゼオライト（天然又は合成）、有機材料、装飾性化合物、顔料及びこれらの組合せから構成される群から選ばれる請求項１に記載の釣り用ルアー。
【請求項３】
前記鉱物がタルク、カオリン、チョーク、石灰石、マイカ、被覆マイカ及びこれらの組合せから構成される群から選ばれる請求項２に記載の釣り用ルアー。
【請求項４】
前記有機材料が球形シリコン樹脂、メチルメタクリレート樹脂及びこれらの組合せから構成される群から選ばれる請求項２に記載の釣り用ルアー。
【請求項５】
前記粘着性除去剤がさらに表面積１０００ｍ2／ｇ以下の粒子を含む請求項１に記載の釣り用ルアー。
【請求項６】
前記合成ゴムがさらに熱可塑性エラストマーを含む請求項１に記載の釣り用ルアー。
【請求項７】
前記熱可塑性エラストマーはさらにスチレンブロック共重合体を含む請求項６に記載の釣り用ルアー。
【請求項８】
前記熱可塑性エラストマーはさらに２以上のスチレンブロック共重合体を含む請求項７に記載の釣り用ルアー。
【請求項９】
前記混合物中の油は合成ゴムより重量比が大きい請求項１に記載の釣り用ルアー。
【請求項１０】
前記コーティングはさらにコーティング油を含む請求項１に記載の釣り用ルアー。
【請求項１１】
前記油はシリコンオイルを含む請求項１０に記載の釣り用ルアー。
【請求項１２】
前記シリコン油は５０〜１０００センチポイズの範囲の粘度を有する
請求項１０に記載の釣り用ルアー。
【請求項１３】
前記成形された混合物とコーティング油の重量比は約８０００：２５±２０である請求項１０に記載の釣り用ルアー。
【請求項１４】
前記重量比は８０００：１０である請求項１０に記載の釣り用ルアー。
【請求項１５】
装飾性被覆物をさらに含む請求項１に記載の釣り用ルアー。
【請求項１６】
さらに魚誘引物及び香味料を含む請求項１に記載の釣り用ルアー。
【請求項１７】
合成ラバーポリマー及び油からなる成形された混合物であって、前記合成ラバーポリマーは１又は２以上の合成ブロック共重合体であり、前記油は前記合成ラバーポリマーより重量が重い混合物、
その表面上の粘着性除去剤からなるコーティングであって、前記粘着性除去剤は、シリカ・ゲル、天然シリカ、ヒュームドシリカ、鉱物、ゼオライト（天然又は合成）、有機材料、装飾性化合物、顔料及びこれらの組合せから構成される群から選ばれ、
前記粘着性除去剤は２ｎｍ〜１０μｍの範囲の粒径を有する粒子であり、表面積が１０００ｍ2／ｇ以下であるコーティング、
を含む釣り用ルアー。
【請求項１８】
前記コーティングがさらにコーティング油を含み、前記油はシリコン及びを含み、前記シリコンは５０〜１０００センチポイズの粘度を有する請求項１７に記載の釣り用ルアー。
【請求項１９】
合成ゴムポリマー及び油からなる成形された混合物であって、前記合成ゴムポリマーが１又は２以上のスチレンブロック共重合体であり、前記油は前記合成ラバーポリマーより重い混合物、
その表面上の粘着性除去剤からなるコーティングであって、前記粘着性除去剤はシリカ・ゲル、天然シリカ、ヒュームドシリカ、鉱物、ゼオライト（天然又は合成）、有機材料、装飾性化合物、顔料及びこれらの組合せから選ばれ、
前記コーティングはさらに表面積１０００ｍ2／ｇの粒子及びコーティング油を含み、ここで、成形された混合物とコーティング油の重量比は約８０００：２５±２０であるコーティング
を含む釣り用ルアー。
【請求項２０】
前記重量比は８０００：１０である請求項１９に記載の釣り用ルアー。
【国際調査報告】
2007535294.tif 000002